(57)【特許請求の範囲】
【請求項１】
側部と、
上部と、
下部と、
前記側部と前記上部と前記下部とにより形成された空洞と、
前記空洞内に配置された材料とを備え、
前記側部が、異なる方向に突出する二以上の凸部と、異なる方向に窪む二以上の凹部とを含み、
前記側部が水に対して透過性であり、かつ
前記側部が、前記空洞内に配置された前記材料に対して不透過性であり、
前記空洞に配置された材料は、セメント又はコンクリート混合物を含む、
容器。
【請求項２】
水に対して不透過性でありかつ前記側部に配置される取り外し可能なカバーを更に備える、請求項１に記載の容器。
【請求項３】
前記取り外し可能なカバーがポリビニルシートである、請求項２に記載の容器。
【請求項４】
前記上部と前記下部のうちの少なくとも一方に配置されたコーティングであって、ゴム引き材料を含むコーティングを更に備える、請求項１に記載の容器。
【請求項５】
前記上部と前記下部のうちの少なくとも一方に配置されたコーティングであって、前記容器に積み重ねられる別の容器の一部分の形状を有する線を形成するコーティングを更に備える、請求項４に記載の容器。
【請求項６】
前記コーティングが塗装線である、請求項５に記載の容器。
【請求項７】
前記側部が、織布と有孔材料のうちの一方を含む、請求項１に記載の容器。
【請求項８】
前記空洞内に配置された前記材料が粒状材料を含む、請求項１に記載の容器。
【請求項９】
前記凸部はそれぞれ、異なる方向を向く３つの側面を有し、前記凹部はそれぞれ、他の容器の凸部の３つの側面に当接する３つの側面を含む、
請求項１に記載の容器。
【請求項１０】
前記空洞内に配置された前記材料が、粗骨材材料と細骨材材料のうちの少なくとも一方を含む乾燥セメント質混合物である、請求項１に記載の容器。
【請求項１１】
前記乾燥セメント質混合物が、前記粗骨材材料および前記細骨材材料よりも吸収性が高い超吸収性材料を含む、請求項１０に記載の容器。
【請求項１２】
側部と空洞とを含む第１の容器であって、前記第１の容器の前記側部が異なる方向に突出する二以上の凸部を含む、第１の容器を準備することと、
前記第１の容器の前記空洞内にセメント又はコンクリート混合物を含む材料を保持することと、
側部と空洞とを含み、同側部は、異なる方向に突出する二以上の凹部を含む第２の容器を準備することと、
前記第２の容器の前記空洞内にセメント又はコンクリート混合物を含む材料を保持することと、
前記第１の容器の前記凸部の一つを前記第２の容器の前記凹部の一つに挿入することと、
側部と空洞とを含み、同側部は、異なる方向に窪む二以上の凹部を含む第３の容器を準備することと、
前記第３の容器の前記空洞内にセメント又はコンクリート混合物を含む材料を保持することと、
前記第１の容器の他の前記凸部を前記第３の容器の前記凹部の一つに挿入することと、
前記第１、第２、および第３の容器の前記側部から前記第１、第２、および第３の容器の前記空洞内に流体を通して、前記第１、第２、および第３の容器内の材料に前記流体を浸透させることと
を含む方法。
【請求項１３】
第４の容器を準備することと、
前記第１の容器と前記第２の容器と前記第３の容器のうちの少なくとも一つの上部をコーティングで被覆することと、
前記第４の容器の下部をコーティングで被覆することと
を更に含む、請求項１２に記載の方法。
【請求項１４】
前記第１の容器と前記第２の容器と前記第３の容器のうちの少なくとも一つに前記第４の容器を積み重ねることを更に含み、
前記第４の容器の前記被覆された下部と、前記第１の容器の前記被覆された上部と前記第２の容器の前記被覆された上部と前記第３の容器の前記被覆された上部のうちの少なくとも一つのとの間の静止摩擦係数（μＳ）が約０．９〜約１．３の間である、請求項１３に記載の方法。
【請求項１５】
細長い要素を使用して前記第１の容器と前記第２の容器と前記第３の容器を水平方向に締結することを更に含む、請求項１２に記載の方法。
【請求項１６】
細長い要素を使用することにより、前記第１の容器、前記第２の容器および前記第３の容器を支持する材料に、前記第１の容器と前記第２の容器と前記第３の容器のうちの少なくとも一つを垂直方向に固定することを更に含む、請求項１２に記載の方法。
【請求項１７】
前記第１の容器および前記第２の容器に第３の容器を積み重ねることであって、前記第３の容器が前記第１の容器と前記第２の容器との間に千鳥配置される、積み重ねることを更に含む、請求項１２に記載の方法。
【請求項１８】
側部と、
上部と、
下部と、
前記側部と前記上部と前記下部とにより形成された空洞と、
前記空洞内に配置された材料と、
前記側部に取り付けられた取り外し可能なカバーとを備え、
前記側部が、異なる方向に突出する二以上の凸部と、異なる方向に窪む二以上の凹部とを含み、
前記側部が水に対して透過性であり、
前記側部が、前記空洞内に配置された前記材料に対して不透過性であり、
かつ前記取り外し可能なカバーが水に対して不透過性であり、
前記空洞に配置された材料は、セメント又はコンクリート混合物を含む、
容器。
【請求項１９】
前記側部が、織布と有孔材料のうちの一方を含む、請求項１８に記載の容器。
【請求項２０】
前記上部と前記下部のうちの少なくとも一方に配置されたコーティングであって、ゴム引き材料を含むコーティングを更に備える、請求項１８に記載の容器。
【発明の詳細な説明】
【技術分野】
【０００１】
本開示は、構造物を対象とし、より詳細には、相互連結容器を含む構造物を対象とする。
【背景技術】
【０００２】
土嚢構造物などの積み重ね可能な要素から形成された構造物が多種多様な用途で使用される。このような構造物は、洪水を受ける広い水域付近に位置する領域などの場所における砂防用に使用してもよい。
【０００３】
かかる構造物を説明する１つの特許は、１９７５年６月３日に発行された、Ｐｏｒｒａｚ  Ｊｉｍｅｎｅｚ  Ｌａｂｏｒａに対する米国特許第３，８８６，７５１号明細書（’７５１特許）である。’７５１特許は、ポリエステル、ポリプロピレン、ポリエチレン、または同様の材料で構成された複数の圧潰可能な袋を含む壁構造物を開示している。’７５１特許の袋は、砂利などの骨材で満たされる。袋は、袋を相互連結させるための複数の突起と窪みを含む。
【０００４】
しかしながら、’７５１特許の構造物は、外力に対する十分な横方向の抵抗を有さないように思われる。’７５１特許の袋は、袋内に収容された材料へと水などの液体が流れ込んで横方向の抵抗を増加させることを許容しない非多孔質材料で作られるように思われる。また、’７５１特許に開示されている袋は、横方向の抵抗を増加させるための十分な摩擦抵抗を袋と袋との間にもたらさないようである。
【発明の概要】
【発明が解決しようとする課題】
【０００５】
本開示は、上記の欠点のうちの１つまたは複数を克服することを対象とする。
【課題を解決するための手段】
【０００６】
一態様において、本開示は容器を対象とする。容器は、側部と、上部と、下部と、側部と上部と下部とにより形成された空洞とを含む。容器はまた、空洞内に配置された材料を含む。側部は、少なくとも１つの凸部と少なくとも１つの凹部とを含む。側部は、水に対して透過性である。側部はまた、空洞内に配置された材料に対して不透過性である。
【０００７】
一態様において、本開示は方法を対象とする。その方法は、側部と空洞とを含む第１の容器であって、第１の容器の側部が凸部を含む、第１の容器を準備することと、第１の容器の空洞内に材料を保持することとを含む。その方法はまた、凹部を含む第２の容器を準備することと、第１の容器の凸部を第２の容器の凹部に挿入することと、第１の容器の側部から第１の容器の空洞内に流体を通すこととを含む。
【図面の簡単な説明】
【０００８】
【図１】図１は、例示的な構造物の平面図である。
【図２】図２は、例示的な構造物の立面図である。
【図３】図３は、第２の例示的な構造物の平面図である。
【図４】図４は、例示的な容器の概略図である。
【図５】図５は、例示的な容器の平面図である。
【図６】図６は、例示的な容器の立面図である。
【図７】図７は、第３の例示的な構造物の斜視図である。
【図８】図８は、第３の例示的な構造物の斜視図である。
【図９】図９は、第３の例示的な構造物の平面図である。
【図１０】図１０は、第４の例示的な構造物の平面図である。
【図１１】図１１は、第５の例示的な構造物の平面図である。
【図１２】図１２は、第６の例示的な構造物の平面図である。
【図１３】図１３は、例示的な砂防システムの断面図である。
【図１４】図１４は、例示的な軍事防御システムの斜視図である。
【図１５】図１５は、第２の例示的な砂防システムの断面図である。
【発明を実施するための形態】
【０００９】
図１および図２は、例示的な構造物１０を図示している。構造物１０は、複数の容器（例えば、容器１５および容器２０）を含んでもよい。以下に説明するように、構造物１０のいくつかの例示的な実施形態はまた、構造物１０の複数の容器を相互に締結するのを補助し得る締結システム２５を含んでもよい。
【００１０】
複数の容器（例えば、容器１５および容器２０）は、構造物１０を形成するために相互に連結する相互連結容器であってもよい。例えば、各容器１５は、凸部１５ａと、凸部１５ｂと、凹部１５ｃと、凹部１５ｄとを含んでもよい。また、例えば、各容器２０は、凸部２０ａと、凸部２０ｂと、凹部２０ｃと、凹部２０ｄとを含んでもよい。複数の容器１５および容器２０は、互いに嵌合するように構成される凸部と凹部を介して相互に連結してもよい。例えば、図１に図示するように、所定の容器１５の凸部１５ａは、所定の容器２０の凹部２０ｄに受け入れられてもよく、所定の容器１５の凸部１５ｂは、所定の容器１５の凹部１５ｃに受け入れられてもよく、所定の容器２０の凸部２０ａは、所定の容器１５の凹部１５ｄに受け入れられてもよく、かつ所定の容器２０の凸部２０ｂは、所定の容器２０の凹部２０ｃに受け入れられてもよい。それにより、複数の容器１５および２０は、図１に図示するように、構造物１０を形成するために相互に連結してもよい。構造物１０のいくつかまたは全ての容器が凸部および／または凹部を有さなくてもよいことも考慮される。
【００１１】
容器１５および２０は、例えば、互いに鏡面対称であってもよく、かつ図１に図示するように、交互の列で配設してもよい。例えば、容器１５および２０を一定のパターンで配設してもよい。例えば、容器１５および２０の交互の列を、図１に図示するように、隣り合う容器間の継ぎ目２２および２４が列間で千鳥配置されるように配設してもよい。また、例えば、容器１５が互いに略相似形状であってもよく、かつ容器２０が互いに略相似形状であってもよく、図１に図示するように、容器１５が容器２０の鏡面対称である形状である。構造物１０の複数の容器はまた、任意の他の好適な形状であってもよく、かつ、例えば、構造物１０の他の例示的な実施形態において以下に説明するように、互いに異なっていてもよい。
【００１２】
相互連結容器１５および２０の層を、図２に図示するように、互いに積み重ねてもよい。相互連結容器の積み重ねられた層を、積み重ねられた層と層との間の平面において千鳥配置してもよい。例えば、図２に図示するように、容器の所定の相互連結層の容器１５の中央部分１５ｅを、所定の相互連結層の上および／または下に配置された相互連結層の容器１５の端部分１５ｆと位置合わせしてもよい。同様に、容器の所定の相互連結層の容器２０の中央部分を、所定の相互連結層の上および／または下に配置された相互連結層の容器２０の端部分と位置合わせしてもよい。例えば、所定の相互連結層の容器１５の所定の部分が、所定の相互連結層の上および／または下に配置された相互連結層の容器２０の所定の部分と位置合わせされるような任意の他の好適な方式で、相互連結層を千鳥配置してもよい。構造物１０は、例えば、最大で５つの積み重ねられた層、最大で１０の積み重ねられた層、または最大で数十の積み重ねられた層などの任意の好適な数の積み重ねられた相互連結層を含んでもよい。構造物１０が単一層の相互連結容器を含み得ることも考慮される。
【００１３】
構造物１０を形成するために、任意の好適な数の容器１５および容器２０を相互に連結してもよい。例えば、図３に図示するように、相互連結容器の各所定の層は、数多くの容器を含んでもよく、かつ長さおよび／または幅が任意の好適なサイズに至るまで延びてもよい。例えば、構造物１０の積み重ねられた層は、長さが数フィートから百フィートを超えるまで、長さが最大で数百フィート延びてもよく、または長さが数マイル延びてもよい。同様に、構造物１０は、例えば、幅が数フィート、幅が最大で１０フィート、幅が最大で数百フィートなどの任意の好適な幅であってもよい。構造物１０は長さと幅の両方が広い地理的領域にわたって連続的に延び得ることも考慮される。例えば、構造物１０は、所定の領域にわたる表面侵食に対する保護ブランケットとしての機能を果たしてもよい。
【００１４】
構造物１０の複数の容器は、材料を保持するのに好適な容器を含んでもよい。例えば、図４に図示するように、容器１５は、上部１５ｇと、側部１５ｈと、下部１５ｉとを含んでもよい。上部１５ｇと側部１５ｈと下部１５ｉとにより空洞１５ｊを形成してもよい。上部１５ｇ、側部１５ｈ、および／もしくは下部１５ｉは、一体の容器の部分であってもよく、または当技術分野における任意の好適な方法により互いに取り付けられる別個の部分であってもよい。例えば、縫合、縫製、接着剤、および／または機械的締結具により、上部１５ｇ、側部１５ｈ、および／または下部１５ｉを相互に取り付けてもよい。上部１５ｇ、側部１５ｈ、および／または下部１５ｉのいくつかの部分を相互に取り付けてもよく、かつ上部１５ｇ、側部１５ｈ、および／または下部１５ｉのいくつかの部分が互いに一体であってもよい。上部１５ｇ、側部１５ｈ、および下部１５ｉは、以下に説明するような好適な材料で満たされ得る空洞１５ｊを形成してもよい。上部１５ｇ、側部１５ｈ、および下部１５ｉは、凸部１５ａ、凸部１５ｂ、凹部１５ｃ、および／または凹部１５ｄを形成するような形状としてもよい。
【００１５】
容器１５は、構造物１０を形成するために相互連結するための任意の好適な寸法を有してもよい。例えば、容器１５は、約３：６：２の幅と長さと深さの相対寸法を有してもよい。また、容器１５は、例えば、所定の単位の約２〜約１０の間の幅、所定の単位の約２〜約１０の間の長さ、所定の単位の約１〜約１０の間の深さなどの任意の他の好適な幅と長さと深さの相対寸法を有してもよい。例えば、容器１５は、幅が約６インチ〜約５フィートの間、長さが約６インチ〜約５フィートの間、および深さが約３インチ〜約５フィートの間であってもよい。容器１５が、約１インチ〜約２０フィート以上の間の、幅、長さおよび／または深さの寸法を有し得ることも考慮される。容器１５は、例えば、略矩形状、略正方形状、略角錐形状、任意の好適な数の面を有する不規則な多角形形状などの任意の好適な形状であってもよい。容器１５は、例えば、袋などの、材料を保持するための可撓性容器であってもよい。容器１５が、ある程度の可撓性を有するか、ほとんど可撓性を有さないか、または実質的に全く可撓性を有さない比較的剛性の容器であり得ることも考慮される。
【００１６】
側部１５ｈは、上部１５ｇおよび／もしくは下部１５ｉに取り付けられる１つの一体部または複数の部分を含んでもよく、あるいは上部１５ｇおよび／または下部１５ｉと部分的もしくは完全に一体であってもよい。側部１５ｈを、凸部１５ａと、凸部１５ｂと、凹部１５ｃと、凹部１５ｄとを形成するような形状としてもよい。
【００１７】
側部１５ｈは、材料を収容するための任意の好適な材料から形成してもよい。例えば、側部１５ｈを、流体に対して透過性であるとともに容器１５または容器２０内に収容され得る（以下に説明する）材料３０に対して不透過性である材料から形成してもよい。例えば、側部１５ｈを、水に対して透過性であるとともに材料３０に対して不透過性である材料から形成してもよい。側部１５ｈを、例えば、織布から形成してもよい。側部１５ｈは、例えば、ナイロン布であってもよい。また、例えば、側部１５ｈを、水に対して透過性でありかつ材料３０に対して不透過である任意の透過性織物から形成してもよい。更に、例えば、側部１５ｈを、例えば、以下に説明する、流体に対して透過性でありかつ材料３０に対して不透過性であるプラスチックメッシュまたはワイヤメッシュなどの合成メッシュ材料から形成してもよい。例えば、側部１５ｈを、可撓性の、細かいメッシュのプラスチック材料および／または細かいメッシュの金属材料から形成してもよい。また、例えば、側部１５ｈを、水などの液体の流れを許容しかつ、例えば、材料３０などの比較的粗い材料の通過を許容しない微細貫通孔を有する任意の好適な不透過性材料から形成してもよい。例えば、側部１５ｈを、有孔木材、有孔金属薄板、有孔プラスチック、および／または有孔ポリマー材料から形成してもよい。側部１５ｈの一部または実質的に全ては、水などの液体に対して透過性でありかつ材料３０に対して不透過性である材料を含んでもよい。側部１５ｈをまた、実質的に不透過性の材料から形成してもよい。例えば、側部１５ｈを１つまたは複数の防弾材料から形成してもよい。例えば、側部１５ｈを、炭素繊維複合材料、パラアラミド合成繊維（例えば、Ｋｅｖｌａｒ（登録商標））、鋼もしくはチタンなどの金属、および／またはポリカーボネートから形成してもよい。上部１５ｇおよび下部１５ｉを側部１５ｈの材料と同様である材料から形成してもよい。側部１５ｈが透過性材料から形成される場合、上部１５ｇおよび／または下部１５ｉを不透過性材料から形成してもよい。側部１５ｈが不透過性材料から形成される場合、上部１５ｇおよび／または下部１５ｉを透過性材料から形成してもよい。また、側部１５ｈ、上部１５ｇ、および下部１５ｉは全て、透過性材料から形成してもよい。更に、側部１５ｈ、上部１５ｇ、および下部１５ｉは全て、不透過性材料から形成してもよい。
【００１８】
カバー３５を、図４〜図６に図示するように、側部１５ｈに配置してもよい。カバー３５はまた、上部１５ｇおよび／または下部１５ｉに配置してもよい。カバー３５は、側部１５ｈの実質的に全てを覆う単一のカバーかまたは側部１５ｈの一部を覆う単一のカバーであってもよい。代替的に、複数のカバー３５は、側部１５ｈの一部または実質的に全てを覆ってもよい。１つまたは複数のカバー３５はまた、上部１５ｇおよび／もしくは下部１５ｉの部分または上部１５ｇおよび／もしくは下部１５ｉの実質的に全てを覆ってもよい。カバー３５は、容器１５に取り外し可能に取り付けられ得る取り外し可能なカバーであってもよい。例えば、縫合、縫製、接着剤、および／または機械的締結具などの当技術分野における任意の好適な方法により、カバー３５を側部１５ｈに取り外し可能に取り付けてもよい。例えば、側部１５ｈ、上部１５ｇ、および／または下部１５ｉの部分を相互に取り付け得ると同時に、縫合、縫製、接着剤、および／または機械的締結によりカバー３５を取り外し可能に取り付けてもよい。カバー３５が、縫合、縫製、接着、および／または機械的締結により容器１５の任意の部分に取り外し可能に取り付けられ得ることも考慮される。カバー３５が容器１５に取り外し可能に取り付けられ得るので、構造物１０の設置前、設置中、または設置後の任意の好適な時点でカバー３５を取り外してもよい。例えば、構造物１０の設置前、設置中、または設置後の任意の好適な時点でカバー３５を容器１５から剥ぎ取ってもよい。
【００１９】
カバー３５を任意の好適な不透過性材料から形成してもよい。カバー３５は、側部１５ｈを封止し得る不透過性材料から形成されるとともに、液体が側部１５ｈを通過するのを実質的に防止してもよい。例えば、カバー３５は、水などの液体により材料３０の早期飽和および／または水和を実質的に防止してもよい。カバー３５を、例えば、ポリビニルなどの材料から形成してもよい。例えば、カバー３５は、側部１５ｈに取り外し可能に取り付けられるポリビニルシートまたはストリップであってもよい。カバー３５はまた、例えば、不透過性プラスチック、ゴムまたは木材などの不透過性天然材料、エラストマー材料など不透過性合成材料、ポリマー材料、可撓性の金属薄板などの金属材料、および／または複合材料などの１つまたは複数の材料から形成してもよい。例えば、カバー３５を、例えば、ポリ（塩化ビニル）、ポリエチレン、および／またはポリプロピレンなどの１つまたは複数の材料から形成してもよい。例えば、カバー３５は、例えば、プラスチック、複合材料、金属、発泡体、および／または木材などの、実質的に水に対して透過性である任意の好適な材料を含んでもよい。例えば、カバー３５は、薄いポリビニルシートであってもよい。
【００２０】
上部１５ｇおよび／または下部１５ｉは、図４〜図６に図示するように、コーティング４０を含んでもよい。コーティング４０を、容器１５の外側に配置されるように、上部１５ｇおよび／または下部１５ｉの外表面に配置してもよい。コーティング４０を上部１５ｇおよび／または下部１５ｉの一部または実質的に全てに配置してもよい。コーティング４０が容器１５の任意の外表面または内表面に配置され得ることも考慮される。任意の好適な量のコーティング４０を一定または可変の厚さで容器１５に配置してもよい。例えば、コーティング４０を、薄いコーティング、約１／８”〜約１”のコーティングでまたは数インチの厚さで塗布してもよい。コーティング４０の厚さは、容器１５の表面にわたって実質的に一定であってもよく、容器１５の表面にわたって異なってもよく、かつ実質的に一定の厚さの部分と可変の厚さの部分とを有してもよい。
【００２１】
コーティング４０を、容器１５の積み重ねられた層の表面間の摩擦係数を増加させる任意の好適な材料から形成してもよい。例えば、コーティング４０は、第１の容器１５の上部１５ｇと第１の容器１５の上に積み重ねられた第２の容器１５の下部１５ｉとの間の摩擦抵抗を増加させるとともに、第２の容器１５の下部１５ｉと第２の容器１５の下に積み重ねられた第３の容器１５の上部１５ｇとの間の摩擦抵抗を増加させる材料であってもよい。それにより、コーティング４０は、積み重ねられた容器１５間の摩擦抵抗を増加させることにより構造物１０の横方向の抵抗を増加させてもよい。コーティング１５を、例えば、ゴム引きコーティングなどの、表面間の摩擦係数を増加させるための任意の好適な材料から形成してもよい。コーティング４０は、例えば、ゴム、エラストマー、砕石、砂、ガラス、プラスチック、金属、アスファルト、および／または接着剤などの材料を含んでもよい。例えば、コーティング４０は、摩擦係数を増加させるための上記材料のいくつかまたは全てを含む混合物であってもよい。例えば、コーティング４０は、砂などの粒状材料を含むゴム引き材料であってもよい。例えば、コーティング４０は、約０．４〜約１．４の間のコーティング４０で被覆された重ね合わされた表面間に静止摩擦係数（μS）を有する材料であってもよい。例えば、コーティング４０は、約０．９〜約１．３の間または約１．１〜約１．２の間のコーティング４０で被覆された重ね合わされた表面間に静止摩擦係数（μS）を有するゴム引き材料であってもよい。コーティング４０は、水などの液体が上部１５ｇおよび／または下部１５ｉを通って流れるのを実質的に遮断する不透過性コーティングであってもよい。コーティング４０が透過性コーティングであり得ることも考慮される。側部１５ｈがコーティング４０で被覆され得ることも考慮される。
【００２２】
図５に図示するように、上部１５ｇおよび／または下部１５ｉはコーティング４５を含んでもよい。コーティング４５は、上部１５ｇおよび／または下部１５ｉの表面にマークを付すための任意の好適な材料であってもよい。例えば、コーティング４５は、層間の容器１５の千鳥状の位置決めを容易にするためにマークを付けるのに好適な材料であってもよい。コーティング４５は、例えば、塗料、着色コーティング、着色混合物、染色材料、および／または色の変化を生じさせる任意の好適な化学物質などの任意の好適なマーキング材料であってもよい。コーティング４５は、例えば、薄いコーティングが１インチに満たない厚さを有するなどの任意の好適な厚さであってもよい。例えば、コーティング４５は、上部１５ｇおよび／または下部１５ｉの外表面に塗布された薄い塗料コーティングであってもよい。コーティング４５が側部１５ｈに塗布され得ることも考慮される。コーティング４５の形状は、容器１５の一部分の平面における輪郭形状と実質的に一致してもよい。例えば、コーティング４５の形状は、第１の容器１５の上に（例えば、平面に）千鳥配置で積み重ねられる第２の容器１５の形状と一致する略直線であってもよい。例えば、コーティング４５は、複数の略平行線を形成してもよい。以下に説明するように、コーティング４５は、（例えば、図１５に図示しかつ後述するように）構造物１０の段状配置を容易にしてもよい。更に以下に説明するように、コーティング４５の間隔および／またはコーティング４５の色は、所望の段状配置に応じて異なってもよい。容器１５のいくつかまたは全ては、構造物１０を形成するために容器１５の水平面の千鳥状の積み重ねを容易にするためにコーティング４５を含んでもよい。
【００２３】
材料３０を容器１５の空洞１５ｊ内に配置して保持してもよい。材料３０は、容器１５を満たすための任意の好適な材料であってもよい。例えば、材料３０は、側部１５ｈを透過または通過し得ない材料であってもよい。また、例えば、材料３０は、固体材料および／または混合材料であってもよい。更に、例えば、材料３０はまた、側部１５ｈを透過し得ない流体であってもよい。加えて、例えば、材料３０は、例えば、混合コンクリートなどの混合セメント質材料であってもよい。例えば、材料３０は、現場練りコンクリートまたは生コンクリートであってもよい。また、例えば、材料３０はまた、例えば、非混合コンクリートなどの、非混合セメント質材料であってもよい。例えば、材料３０は、設計された乾燥セメント質混合物であってもよい。更に、例えば、材料３０は、乾燥材料であってもよい。加えて、例えば、材料３０はまた、水を含む混合セメント質材料であってもよい。また、例えば、材料３０は、粘土、土壌、有機材料、および／または無機充填材であってもよい。更に、例えば、材料３０は、砕石、砂および／または砂利などの任意の好適な粒状材料であってもよい。加えて、例えば、材料３０は、例えば、ポルトランドセメントなどのセメントなどの結合材と、例えば、砂および／または岩などの骨材とを含んでもよい。結合材は、急結セメント結合材であってもよい。また、例えば、材料３０は、例えば、可塑剤、コンクリート凝結促進剤、減水剤、収縮低減剤、凝固遅延剤、および／または空気連行剤などの、混合物の特性を改善する混和剤を更に含んでもよい。更に、例えば、材料３０はまた、増量剤を含んでもよい。加えて、例えば、材料３０は、プラスチック材料、複合材料、金属、発泡体、および／または木質材料を含んでもよい。
【００２４】
材料３０はまた、例えば、材料３０全体に実質的に完全に組み込まれ得る吸収材料を含んでもよい。吸収材料は、コンクリートなどのセメント質材料に使用される粗骨材材料または細骨材材料よりも多量の流体を吸収する超吸収性材料を含んでもよい。例えば、吸収材料は、コンクリート用の粗骨材（例えば、約３／８”〜約１と１／２”の間の直径を有する砂利および／または砕石などの粗骨材）またはコンクリート用の細骨材（例えば、例えば、３／８”の篩を通過するのに十分に小さな直径を有する砂および／または砕石などの細骨材）よりも多量の流体を吸収し得る超吸収性材料を含んでもよい。したがって、吸収材料は、例えば、コンクリート用の粗骨材またはコンクリート用の細骨材などのセメント質材料に使用される粗骨材材料または細骨材材料よりも吸収性が高い超吸収性材料を含んでもよい。例えば、吸収材料は、複数の繊維である超吸収性材料を含んでもよい。例えば、吸収材料は、複数の極細繊維である超吸収性材料を含んでもよい。複数の極細繊維は、超吸収極細繊維であってもよい。吸収材料は、流体を吸収するための管状材料である超吸収性材料を含んでもよい。例えば、吸収材料は、複数の管形状の繊維である超吸収性材料を含んでもよい。吸収材料は、天然吸収性材料および／または合成吸収性材料である超吸収性材料を含んでもよい。例えば、吸収材料は、天然繊維および／または合成繊維である超吸収性材料を含んでもよい。吸収材料は、例えば、セルロース繊維、綿、および／または紙などの繊維材料である超吸収性材料を含んでもよい。吸収材料は、例えば、ナノチューブなどの流体を吸収するためのナノ構造である超吸収性材料を含んでもよい。吸収材料は、セメント質組成物中の水分を吸収するための任意の好適なマイクロサイズの材料である超吸収性材料を含んでもよい。
【００２５】
材料３０を当技術分野における任意の好適な方法により容器１５の空洞１５ｊ内に配置してもよい。例えば、材料３０が容器１５の空洞１５ｊに挿入されることを許容するように、容器１５の未取付部分５０を開放させてもよい。また、例えば、上部１５ｇが側部１５ｈに取り付けられるよりも先に、材料３０を容器１５の空洞１５ｊ内に位置決めしてもよい。材料３０が圧力下で容器１５の空洞１５ｊ内に圧送され得ることおよび／または容器１５の製造中に材料３０が容器１５の空洞１５ｊ内に位置決めされ得ることも考慮される。
【００２６】
容器２０は、容器１５と同様に形成してもよく、かつ容器１５に関して上で説明したのと同じ特徴の実質的に全てを含んでもよい。例えば、上で説明した特徴を使用して、容器１５と容器２０の両方を互いに連結し積み重ねてもよい。
【００２７】
締結システム２５は、水平締結サブシステム５５と、垂直締結サブシステム６０とを含んでもよい。水平締結サブシステム５５は、容器を相互に水平方向に締結してもよく、かつ垂直締結サブシステム６０は、容器を相互に垂直方向に締結してもよい。
【００２８】
図２および図７〜図９に図示するように、水平締結サブシステム５５は、複数の締結要素６５および７０を含んでもよい。締結要素６５は、例えば、金属要素、プラスチック要素、繊維要素、または木質要素などの容器を相互に締結するための任意の好適な要素であってもよい。例えば、締結要素６５は、細長い金属棒、金属ケーブル、ワイヤロープ、鋼鉄筋、および／またはポストテンション用鋼棒であってもよい。また、例えば、締結要素６５は、繊維で作られたロープ、細長いプラスチック要素、ポリマーから作られた要素、木製ダボなどの細長い木質要素、および／またはエラストマー材料またはゴム材料などの可撓性材料であってもよい。例えば、締結要素６５は、構造物１０の隣り合う容器を水平方向に締結する細長い略水平要素であってもよい。例えば、締結要素７０などの任意の適切な方法により、開示の例示的な容器に締結要素６５を取り付けてもよい。締結要素７０を締結要素６５に関して上に開示した材料の１つまたは複数から形成してもよい。締結要素７０を、例えば、締結要素６５がねじ込まれ得る板、および／または要素６５が取り付けられ得る開示の例示的な容器に（例えば、機械的取付、接着、縫合、および／または縫製により）取り付けられた要素などの、開示の例示的な容器に締結要素６５を取り付けるための任意の好適な要素であってもよい。また、例えば、機械的取付、接着、縫合、および／または縫製などの任意の好適な方法により、開示の例示的な容器に締結要素６５を直接取り付けてもよい。締結要素６５はまた、開示の例示的な容器内に配置された材料３０間にもたらされる摩擦力により、開示の例示的な容器に接続してもよい。例えば、締結要素６５は、開示の例示的な構造物の幅および／または長さ全体を実質的に貫通して延びてもよく、かつ開示の例示的な構造物の外表面に締結要素７０により締結されてもよい。それにより、締結要素６５および７０は、開示の例示的な容器を相互に水平方向に引っ張る引張力をもたらすように協働してもよい。図２および図７〜図９に図示するように、開示の例示的な容器を相互に引っ張る引張力を多方向に及ぼすように、締結要素６５を多数の水平方向に配置してもよい。
【００２９】
図２、図３、および図７〜図９に図示するように、垂直締結サブシステム６０は、複数の締結要素７５および８０を含んでもよい。締結要素７５は、例えば、金属要素、プラスチック要素、繊維要素、または木質要素などの、容器を相互に引っ張りかつ／または締結するための任意の好適な要素であってもよい。例えば、締結要素７５は、例えば、鋼鉄筋および／またはポストテンション用鋼棒などの細長い金属棒であってもよい。また、例えば、締結要素７５は、細長いプラスチック要素、木製ダボなどの細長い木質要素、および／またはポリマー要素であってもよい。締結要素７５を、締結要素６５と同様に、開示の例示的な容器に取り付けてもよく、かつ締結要素８０は、締結要素７０と同様であってもよい。例えば、締結要素７５は、開示の例示的な構造物の高さ全体を実質的に貫通して延びてもよく、かつ開示の例示的な構造物の外表面に締結要素８０により締結されてもよい。締結要素７５を、開示の例示的な構造物が構築される土壌または他の材料の一部分を貫通するように押し込んでもよい。それにより、締結要素７５および８０は、開示の例示的な容器を相互に垂直方向に引っ張る力をもたらすように協働し、それにより、開示の例示的な構造物が構築される土壌または他の材料に、開示の例示的な容器を固定してもよい。例えば、締結要素７５は、開示の例示的な容器を支持する材料にその容器を垂直方向に固定する細長い要素であってもよい。締結具８０が締結具７５の両端部に取り付けられ得、かつ上で説明した、水平方向における締結要素６５および７０と同様に、開示の例示的な容器を相互に垂直方向に引っ張るように引張力が垂直方向に及ぼされ得ることも考慮される。
【００３０】
任意の好適な方法により、締結要素６５および７５を開示の例示的な容器に挿通してもよい。例えば、締結要素６５および７５を、開示の例示的な容器に設けられた開口に挿通してもよく、かつ／または開示の例示的な容器を通して押し込むかもしくはこれら容器に突き通してもよい。
【００３１】
構造物１０が締結システム２５を含まなくてもよいことも考慮される。構造物１０が締結システム２５を含まない例示的な構造物では、例えば、構造物１０の容器を（例えば、互いに積み重ねられる容器の重量による）実質的に摩擦力および重力のみにより適所に保持してもよい。
【００３２】
図７〜図９は、開示の例示的な構造物の代替的な実施形態である、構造物１００を図示している。構造物１００は、上に開示した、容器１５および２０と同様であり得る複数の容器と、上に開示した、締結システム２５と同様である（例えば、水平締結サブシステム５５ａと、垂直締結サブシステム６０ａと、締結要素６５ａと、締結要素７０ａと、締結要素７５ａと、締結要素８０ａとを含む）締結システム２５ａとを含んでもよい。例えば、図７〜図９に図示するように、構造物１００は、１つ（または複数の）容器１５と、容器１０５と、容器１１０と、容器１１５と、容器１２０と、容器１２５と、容器１３０と、容器１３５と、容器１４０と、容器１４５と、容器１５０と、容器１５５と、容器１６０と、容器１６５と、容器１７０とを含んでもよい。よって、構造物１００は、種々の形状を有するとともに図７〜図９に図示する相互連結配置を有する、形状の異なるかなりの数の容器を収容してもよい。
【００３３】
図１０は、開示の例示的な構造物の代替的な実施形態である、構造物２００を図示している。構造物２００は、上に開示した、容器１５および２０と同様であり得る複数の容器と、上に開示した、締結システム２５と同様である（例えば、水平締結サブシステム５５ｂと、垂直締結サブシステム６０ｂと、締結要素６５ｂと、締結要素７０ｂと、締結要素７５ｂと、締結要素８０ｂとを含む）締結システム２５ｂとを含んでもよい。例えば、図１０に図示するように、構造物２００は、容器２０５と、複数の容器２１０と、複数の容器２１５と、複数の容器２２０と、容器２２５と、複数の容器２３０とを含んでもよい。よって、構造物２００は、種々の形状を有するとともに図１０に図示する相互連結配置を有する、形状の異なる多くの容器を収容してもよい。
【００３４】
図１１は、開示の例示的な構造物の代替的な実施形態である構造物３００を図示している。構造物３００は、上に開示した、容器１５および２０と同様であり得る複数の容器を含んでもよい。例えば、図１１に図示するように、構造物３００は、容器３０５と、容器３１０と、複数の容器３１５と、複数の容器３２０と、複数の容器３２５と、複数の容器３３０とを含んでもよい。よって、構造物３００は、種々の形状を有するとともに図１１に図示する相互連結配置を有する、形状の異なる多くの容器を収容してもよい。構造物３００は、締結システムを含まなくてもよい。開示の例示的な構造物のいずれかが締結システムを含まなくてもよいことが考慮される。構造物３００が締結システムを含み得ることも考慮される。
【００３５】
図１２は、開示の例示的な構造物の代替的な実施形態である、構造物４００を図示している。構造物４００は、上に開示した、容器１５および２０と同様であり得る複数の容器と、上に開示した、締結システム２５と同様である（例えば、水平締結サブシステム５５ｄと、垂直締結サブシステム６０ｄと、締結要素６５ｄと、締結要素７０ｄと、締結要素７５ｄと、締結要素８０ｄとを含む）締結システム２５ｄとを含んでもよい。例えば、図１２に図示するように、構造物４００は、容器４０５と、複数の容器４１０と、複数の容器４１５と、複数の容器４２０と、容器４２５と、複数の容器４３０とを含んでもよい。よって、構造物４００は、種々の形状を有するとともに図１２に図示する相互連結配置を有する、形状の異なる多くの容器を収容してもよい。
【００３６】
図１３は、上に開示した例示的な構造物のいずれかと同様であり得る構造物５１０を含み得る例示的な砂防システム５００を図示している。砂防システム５００は、例えば、重力式擁壁システムまたは護岸壁などの砂防システムであってもよい。例えば、構造物５１０は、質量重力壁であってもよい。構造物５１０を、例えば、橋などの交通システムなどの構造システム５２０の付近に配置してもよい。構造システム５２０が、例えば、商業建築システム、住宅建築システム、もしくは軍事用建築システム、水資源構造物、および／または、空港、鉄道、もしくは高速道路構造物などの交通インフラシステムなどの、任意の他の好適な構造物であり得ることも考慮される。構造物５１０は、例えば、水域５３０（例えば、川、湖、海、および／または降雨流出の一部分）の表面水位５４０が洪水および／または異常気象により上昇したときに、水域５３０の流れを実質的に遮断してもよい。
【００３７】
図１４は、上に開示した例示的な構造物のいずれかと同様であり得る構造物６１０を含み得る例示的な軍事防御システム６００を図示している。例えば、構造物６１０は、掩蔽壕もしくは掩蔽壕システムの一部、軍事的防塁の一部、道路上の検問所、指揮所、境界防御の一部、監視所、都市部における防御システムの一部などの任意の好適な軍事的構造物であってもよい。構造物６１０は、構造物６１０の開口の上に配置された容器内および／または容器の真下に配置され得る複数の補強要素６２０を含んでもよく、それにより、開口の上に配置された容器を更に補強する。補強要素６２０は、例えば、金属補強棒、金属補強材、繊維補強材、または細長い木材もしくはプラスチック要素などの任意の好適な補強材であってもよい。容器内に収容された材料がコンクリートを含む場合には、補強要素６２０は、容器内に含まれるコンクリート用の補強材を提供してもよく、それにより、構造物６１０の開口の上方に補強梁を形成する。
【００３８】
図１５は、上に開示した例示的な構造物のいずれかと同様であり得る構造物７１０を含み得る別の例示的な砂防システム７００を図示している。図１５に図示するように、構造物７１０は、複数の段状容器７２０を含む段状配置を有してもよい。コーティング４５は、上述したようにかつ図５に図示するように、構造物７１０の段状配置の形成を容易にしてもよい。例えば、作業員は、既に位置決めされている容器７２０に配置されたコーティング４５と位置合わせされるように容器７２０の端部を積み重ねてもよく、それにより、図１５に図示するような構造物７１０の段状配置を形成する。コーティング４５の間隔は、構造物７１０の所望の高さによって異なってもよい。よって、例えば、段状容器７２０間の（例えば、図５に図示するような）段差間隔は、構造物７１０の所望の高さによって異なってもよい。
【００３９】
任意の好適な建築物または構造用途において、開示の例示的な構造物を使用してもよい。例えば、砂防システム、輸送用構造物および建築構造物、水流制限、水路、インフラ、軍事的構造物、ならびに車両バリケードなどの用途において、開示の例示的な構造物を使用してもよい。例えば、洪水を受ける領域における砂防システムにおいてかつ軍事防御システムにおいて、開示の例示的な構造物を使用してもよい。また、例えば、横方向の抵抗および／または耐衝撃性の増加が望ましい任意の構造用途において、開示の例示的な構造物を使用してもよい。
【００４０】
図４に図示するように、互いに一体である上部１５ｇと側部１５ｈと下部１５ｉとを含む一体の容器として容器１５を製造してもよい。代替的に、縫合、縫製、接着剤、および／または機械的締結具により、上部１５ｇ、側部１５ｈ、および下部１５ｉを相互に取り付けてもよく、または上部１５ｇ、側部１５ｈ、および下部１５ｉのいくつかの部分を相互に取り付けてもよく、かつ上部１５ｇ、側部１５ｈ、および下部１５ｉのいくつかの部分が互いに一体であってもよい。上部１５ｇ、側部１５ｈ、および下部１５ｉは、空洞１５ｊを形成する。
【００４１】
図５に図示するように、容器１５の製造前、製造中、または製造後に、縫合、縫製、接着、および／または機械的締結によりカバー３５を側部１５ｈに取り外し可能に取り付けてもよい。カバー３５は、側部１５ｈに取り付けられたときに、水などの液体が側部１５ｈを通過するのを実質的に防止する。
【００４２】
コーティング４０は、容器１５の製造前、製造中、または製造後に上部１５ｇおよび／または下部１５ｉに塗布される。コーティング４５は、コーティング４０の塗布に続いて上部１５ｇおよび／または下部１５ｉに塗布される。
【００４３】
空洞１５ｊは、容器１５の製造中または製造後に材料３０で部分的または実質的に満たされる。容器１５は、材料３０が空洞１５ｊ内に配置された後に閉じられる。例えば、図６に図示する部分５０は、容器１５が輸送されるときに材料３０が容器１５内に保持されるように閉じられて容器１５の他の部分に取り付けられる。
【００４４】
構造物１０が構築されるべき所から遠く離れた場所において、容器１５を部分的にまたは完全に製造してもよい。例えば、工場または他の好適な店舗において、容器１５を部分的にまたは完全に製造してもよい。また、構造物１０が構築されるべき所から遠く離れた場所において、容器１５を材料３０で完全に満たしてもよい。また、構造物１０が構築されるべき場所において、容器１５を材料３０で完全に満たしてもよい。例えば、構造物１０が構築されるべき所から遠く離れた場所において、容器１５を部分的にまたは完全に製造してもよく、次いで、構造物１０が構築されるべき場所に容器１５を輸送しそこで容器１５を満たしてもよい。また、構造物１０が構築されるべき場所において、容器１５の製造を完了してもよく、かつ容器１５を材料３０で完全に満たしてもよい。また、構造物１０を完成させるべき場所において、容器１５全体を実質的に製造して容器１５を材料３０で満たしてもよい。容器１５が材料３０で満たされる前に輸送され得るので、輸送コストが低減される場合がある。
【００４５】
容器１５が製造されかつカバー３５が取り外し可能に取り付けられ、コーティング４０および４５が塗布され、ならびに材料３０が空洞１５ｊ内に配置された後に、容器１５が構造物１０の一部として設けられる。カバー３５が側部１５ｈに取り付けられたときに、カバー３５は、水などの液体が容器１５の側部１５ｈを通って流れかつ／または浸入するのを実質的に防止する。コーティング４０が不透過性コーティングである場合には、コーティング４０は、水などの液体が容器１５の上部１５ｇおよび下部１５ｉを通って流れるのを実質的に防止する。よって、カバー３５が側部１５ｈに取り付けられ、かつ不透過性コーティングであるコーティング４０が上部１５ｇおよび下部１５ｉに塗布されたときに、空洞１５ｊ内に配置された材料３０の飽和および／または水和を実質的に防止してもよい。それにより、材料３０の水和および／または飽和を、容器１５の製造および／もしくは輸送中、ならびに／または構造物１０の構築中に実質的に防止してもよい。例えば、材料３０が乾燥非混合コンクリートなどの乾燥材料である場合には、乾燥非混合コンクリートの水和が実質的に防止される。
【００４６】
容器２０を容器１５について上で説明した方法と同様にして利用してもよい。上で説明したようにかつ図１に図示するように、複数の容器１５および容器２０は、それぞれの凸部１５ａ、凸部１５ｂ、凹部１５ｃ、凹部１５ｄ、凸部２０ａ、凸部２０ｂ、凹部２０ｃ、および凹部２０ｄを介して相互連結される。容器１５と容器２０の相互連結された層は、図１および図２に図示するように、容器１５と容器２０の他の相互連結された層に積み重ねられる。容器１５および容器２０の相互連結された層は、上で説明したようにかつ図５および図１５に図示するように、コーティング４５を使用して千鳥状および／または段状に積み重ねてもよい。
【００４７】
各容器１５および容器２０が構造物１０に加えられ相互連結されるときに、いくつか、ほとんど、または実質的に全てのカバー３５が取り外される。いくつか、ほとんど、または実質的に全てのカバー３５を容器１５および容器２０に取り付けたままにし得ることも考慮される。構造物１０を組み立てるために容器１５と容器２０が相互連結されたときに、建設作業員がカバー３５を引き剥がしてもよい。カバー３５がそれぞれの容器１５および容器２０から取り外された後に、水などの液体が、それらの容器１５および容器２０に流れ込み、それらの容器１５および２０内に配置された材料３０を飽和および／または水和させることができる。空洞１５ｊに入る水などの流体は、材料３０を湿潤、飽和、および／または水和させてもよく、それにより、材料３０の重量を増加させる。
【００４８】
例えば、材料３０が乾燥非混合コンクリートである場合に、容器１５および容器２０に入る水などの流体により材料３０の水和が始まる。材料３０がコンクリート混合物を含む場合には水などの流体を材料３０と組み合わせることにより、水和過程でセメントペーストが形成される。材料３０がコンクリート混合物を含む場合には、水和時に、セメントペーストは、コンクリート骨材と材料３０の他の要素とをセメントで相互に結合するとともに、コンクリート骨材と材料３０の他の要素との間の空隙を満たす。水和過程は、同時にかつ／または連続して発生し得る数多くの異なる化学反応を含む。材料３０がコンクリート混合物である場合には、水和により、材料３０の成分が相互に結合して固体マトリックスを形成する。水和を受けた後に、材料３０は、コンクリート混合物である場合には、固体マトリックス、水和マトリックス、または結晶化マトリックスとなる。例えば、コンクリート混合物である材料３０は、水和により硬化したコンクリートとなる。
【００４９】
締結システム２５を構造物１０の構築中および／または構築後に設置してもよい。締結システム２５を組み付けるために、水平締結サブシステム５５の締結要素６５と締結要素７０、および垂直締結サブシステム６０の締結要素７５と締結要素８０は、上で説明したようにかつ図８および図９に図示するように、容器１５および容器２０の相互連結層に通してこれら層に組み付けられる。建設作業員は、締結要素６５および締結要素７５を締め付けかつ／または調節して相互連結容器１５および２０を相互に引き締めるために、ジャッキ、手工具、電動工具、および自動機械などの好適な設備を使用し、それにより、隣り合う容器１５と容器２０との間の隙間および空隙を実質的に低減する。それにより、構造物１０を相互に締結して、構造物１０が締結システム２５を介して支持される地面または他の材料に構造物１０を固定してもよい。
【００５０】
構造物１０は、外力に対する比較的増加した横方向の抵抗を有する。それぞれの凸部１５ａ、凸部１５ｂ、凹部１５ｃ、凹部１５ｄ、凸部２０ａ、凸部２０ｂ、凹部２０ｃ、および凹部２０ｄの相互連結作用により、構造物１０の横方向の抵抗が増加する。例えば、図１に図示するように、構造物１０に加わる力ＰAにより、構造物１０内に内力が生じ、この内力は、それぞれの凸部と凹部の相互連結により抗される。例えば、力ＰAは、凸部１５ｂと凹部１５ｃとの間に生じる支持力ＰBおよびＰCによって２つの相互連結された容器１５の組み合わせにより抗される。この相互連結が水平方向の相互連結結合を生じさせてもよく、横方向の動きに対する抵抗を与える。構造物１０の相互連結容器の凸部と凹部との間の確実な接続により張力および圧縮力を生じさせてもよく、このことが、構造物１０の相互連結容器間での力の伝達を向上させる（例えば、力をより効率的に伝達する）。それにより、構造物１０全体にわたる荷重の分散を向上させる。構造物１０全体にわたる容器の千鳥配置（例えば、図１に図示するような継ぎ目２２と２４との間の千鳥配置）は、構造物１０全体にわたる力の分散を向上させ得る。容器１５と容器２０の複数の凸部と凹部とのこうした相互連結配置により、横方向の外力に抗する際に構造物１０が一体の構造物としての機能を果たす。
【００５１】
容器１５および容器２０の積み重ねられた相互連結層のコーティング４０間に生じる摩擦抵抗（例えば、摩擦力）はまた、構造物１０の横方向の抵抗を増加させる。第１の容器１５の上部１５ｇに配置されたコーティング４０、および第１の容器１５の上に積み重ねられた第２の容器１５の下部１５ｉに配置されたコーティング４０は、容器の積み重ねられた相互連結層間の摩擦力を増加させる。それにより、コーティング４０は、構造物１０の積み重ねられた層間の力をより効果的に伝達する。容器１５と容器２０の積み重ねられた層間のこうした摩擦抵抗（例えば、摩擦力）の増加により、横方向の外力に抗する際に構造物１０がその高さ全体にわたる一体の構造物としての機能を果たす。加えて、任意の所定の摩擦平面上に積み重ねられた容器により加わる重量が摩擦抵抗を更に増加させる（例えば、Ｆf＝μs*Ｎ、ここで、Ｆf＝摩擦力または摩擦抵抗であり、μs＝静止摩擦係数であり、かつＮ＝摩擦平面上に積み重ねられた容器の重量である。つまり、Ｎが増加すると、摩擦力または摩擦抵抗Ｆfが増加する）。それゆえ、追加の容器が所定の容器に積み重ねられると、その所定の容器に関連する摩擦平面に生じる摩擦力が増加する。
【００５２】
容器１５および容器２０内に配置された材料３０を水などの液体が飽和および／または水和させるのを許容するためにカバー３５が容器１５および容器２０から取り外されたときに、構造物１０の横方向の抵抗が増加する。飽和および／または水和した材料３０は、乾燥時の同じ材料３０よりも重量がある。比較的重い飽和および／または水和した材料３０は、比較的乾燥した材料３０と比較して、増加した重量および横方向の抵抗を有し、それにより、横方向の外力に対する材料３０の抵抗が増加する。例えば、材料３０がコンクリート混合物である場合には、比較的重い重量と高い横方向の抵抗とを有する硬化したコンクリートとなるように、材料３０が水和を受ける。
【００５３】
例えば、容器１５および２０内に配置された材料３０が上で説明した吸収材料を含む場合には、カバー３５が取り外されたときに、水などの液体が吸収材料により吸収される。吸収材料が流体を吸収すると、吸収材料の重量が増加し、それにより、材料３０の重量が増加する。材料３０が乾燥非混合コンクリートである場合には、カバー３５が取り外されたときに容器１５および容器２０に入る水などの流体に材料３０がさらされると材料３０が水和を受ける。水和した材料３０中に配置された吸収材料に流体が吸収されると（材料の３０の水和マトリックスの体積またはサイズが実質的に一定のままであるので更なる流体が吸収材料に吸収されると）材料３０の重量が更に増加する。それにより、材料３０中に配置された吸収材料が、材料３０の重量と、構造物１０の横方向の抵抗とを更に増加させる（例えば、摩擦力Ｆf＝μs*Ｎに関して上で説明したように、材料３０の重量の増加がＮを増加させ、それにより、Ｆfが増加し、Ｆfの増加により、横方向の外力に対する構造物１０の横方向の抵抗が増加する）。水などの流体が材料３０から蒸発しかつ材料３０内に配置された吸収材料が完全に乾燥したときに材料３０の重量が減少し得ることも考慮される。
【００５４】
締結システム２５はまた、構造物１０の横方向の抵抗を増加させる。上で説明したように、締結システム２５は、相互連結容器１５と２０を相互に引き締め、横方向の外力に対して構造物１０に一体の構造物としての機能を更に果たさせる。締結システム２５はまた、締結要素７５を介して、構造物１０を支持する地面または他の材料に構造物１０を固定し、構造物１０の横方向の抵抗を更に増加させる。
【００５５】
構造物１０は再使用可能であってもよい。構造物１０が構築された後に、締結システム２５を構造物１０から分解して取り外してもよい。容器１５および容器２０を、それらの相互連結配置から分離し、構造物１０の場所から輸送してもよい。容器１５および容器２０から材料３０を、例えば、構造物１０の場所にまたは別の場所に排出してもよい。例えば、容器１５および容器２０は袋であってもよく、かつ材料３０は、容器１５および容器２０から排出される砂および／または砂利などの材料であってもよい。そして、容器１５と容器２０および締結システム２５を、同じ敷地に保管するかまたは別の場所に輸送し、その後、新たな構造物１０に使用してもよい。
【００５６】
本出願において説明する例示的な構造物のいずれかを構造物１０の容器１５および２０について上で説明した方法と同様にして使用してもよい。例えば、図１３に図示するように、構造物１０と同様である構造物５１０を構造システム５２０に隣接する砂防システム５００の一部として構築してもよい。水域５３０の表面水位５４０が上昇すれば、それにより、構造物５１０に対して横方向の外力ｐが加わる。水域５３０からの水などの液体はまた、取り外される（例えば、カバー３５と同様の）カバーを有する構造物５１０に流れ込む。構造物１０について上で説明したように、構造物６１０は、上記の開示の例示的な特徴により横方向の外力ｐに対する増加した横方向の抵抗を有する。
【００５７】
開示の例示的な構造物は、外力に対する比較的高い横方向の抵抗を有してもよい。開示の例示的な容器の複数の凸部と凹部との相互連結配置により、横方向の外力に抗する際に、開示の例示的な構造物が一体の構造物としての機能を果たしてもよい。開示の例示的なコーティングで被覆された開示の例示的な容器の積み重ねられた層間の増加した摩擦抵抗により、横方向の外力に対する抵抗が増加し得る。開示の例示的な構造物は、構造物内に収容された材料を飽和および／または水和させるのを許容するために取り外され得、このことにより、外力に対する横方向の抵抗を増加させ得る、開示の例示的なカバーを含んでもよい。開示の例示的な構造物は、望ましい量の横方向の抵抗をもたらすために、従来のシステムよりも比較的少ない容器しか必要としなくてもよい。開示の例示的な構造物は、再使用可能であってもよく、かつ充填材料なしに輸送されてもよく、システムの使用に関連するコストを低減する。
【００５８】
開示の構造物および構造物の使用方法に種々の修正および変更を加えることができることは、当業者には明らかであろう。他の実施形態は、本明細書の検討および開示の構造物および方法の実現から当業者には明らかであろう。本明細書および例が単に例示的なものとみなされ、真の範囲が以下の特許請求の範囲およびそれらの均等物により示されることが意図されている。
【図１】
0006412584.tif 000002
【図２】
0006412584.tif 000003
【図３】
0006412584.tif 000004
【図４】
0006412584.tif 000005
【図５】
0006412584.tif 000006
【図６】
0006412584.tif 000007
【図７】
0006412584.tif 000008
【図８】
0006412584.tif 000009
【図９】
0006412584.tif 000010
【図１０】
0006412584.tif 000011
【図１１】
0006412584.tif 000012
【図１２】
0006412584.tif 000013
【図１３】
0006412584.tif 000014
【図１４】
0006412584.tif 000015
【図１５】
0006412584.tif 000016